【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
映像データを復号する方法であって、
基準ピクチャオーダーカウント（ＰＯＣ）値の最上位ビット（ＭＳＢ）と長期基準ピクチャ（ＬＴＲＰ）ＰＯＣ値のＭＳＢとの間の差分を表す値を復号することであって、前記基準ＰＯＣ値は、現在のピクチャのＰＯＣ値又は復号順序で前記現在のピクチャに先行するランダムアクセスポイント（ＲＡＰ）ピクチャのＰＯＣ値に対応することと、
前記復号された値及び前記基準ＰＯＣ値に基づいて前記ＬＴＲＰ  ＰＯＣ値の前記ＭＳＢを決定することと、
前記ＬＴＲＰ  ＰＯＣ値に少なくとも部分的に基づいて前記ＬＴＲＰに関する前記現在のピクチャの少なくとも一部分を復号することと、を備える、方法。
【請求項２】
前記ＬＴＲＰ  ＰＯＣ値の前記ＭＳＢが、前記ＲＡＰピクチャに関する前記ＰＯＣ値又は前記現在のピクチャに関する前記ＰＯＣ値のいずれから予測されるかを示す構文要素を復号することと、
前記復号された値及び前記構文要素に基づいて前記ＬＴＲＰに関する前記ＰＯＣ値の前記ＭＳＢを再生することと、をさらに備える請求項１に記載の方法。
【請求項３】
前記ＬＴＲＰに関する前記ＰＯＣ値の前記ＭＳＢを再生することは、
前記ＬＴＲＰに関する前記ＰＯＣ値が前記現在のピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記現在のピクチャの前記ＰＯＣ値に加えることと、
前記ＬＴＲＰに関する前記ＰＯＣ値が前記ＲＡＰピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記ＲＡＰピクチャの前記ＰＯＣ値に加えることと、を備える請求項２に記載の方法。
【請求項４】
前記構文要素は、ｄｅｌｔａ_ｐｏｃ_ｌｔ_ｃｕｒｒ_ｐｉｃ_ｆｌａｇ［ｉ］を備え、ｉは、前記ＬＴＲＰに対応するインデックスを表す請求項２に記載の方法。
【請求項５】
前記構文要素を復号することは、前記現在のピクチャのスライスに関するスライスヘッダを復号することを備え、前記スライスヘッダは、前記構文要素を含む請求項２に記載の方法。
【請求項６】
前記スライスヘッダを復号することは、ｄｅｌｔａ_ｐｏｃ_ｍｓｂ_ｐｒｅｓｅｎｔ_ｆｌａｇ［ｉ］を復号せずに前記スライスヘッダを復号することを備える請求項５に記載の方法。
【請求項７】
前記スライスヘッダは、ｄｅｌｔａ_ｐｏｃ_ｍｓｂ_ｐｒｅｓｅｎｔ_ｆｌａｇ［ｉ］を含まない請求項５に記載の方法。
【請求項８】
前記構文要素が後続するピクチャに関して存在しないときには、前記後続するピクチャに関する長期基準ピクチャが存在しないと決定することをさらに備える請求項２に記載の方法。
【請求項９】
前記値を復号することは、前記現在のピクチャのスライスのスライスヘッダ、前記現在のピクチャを含むピクチャのシーケンスに関するシーケンスパラメータセット（ＳＰＳ）、及び前記現在のピクチャに関するピクチャパラメータセット（ＰＰＳ）のうちの少なくとも１つを復号することを備える請求項１に記載の方法。
【請求項１０】
前記ＲＡＰピクチャは、復号順序で前記現在のピクチャに先行する、復号順序で最後のＲＡＰピクチャを備える請求項１に記載の方法。
【請求項１１】
前記基準ＰＯＣ値は、前記現在のピクチャの前記ＰＯＣ値に対応する請求項１に記載の方法。
【請求項１２】
前記ＬＴＲＰ  ＰＯＣ値の最下位ビット（ＬＳＢ）を復号することと、
前記ＬＴＲＰ  ＰＯＣ値を再生するために前記ＬＴＲＰ  ＰＯＣ値の前記ＭＳＢを前記ＬＴＲＰ  ＰＯＣ値のＬＳＢと連結することと、
前記再生されたＬＴＲＰ  ＰＯＣ値に基づいて前記ＬＴＲＰを基準ピクチャセットに加えることと、をさらに備える請求項１に記載の方法。
【請求項１３】
映像データを符号化する方法であって、
長期基準ピクチャ（ＬＴＲＰ）に関する現在のピクチャの少なくとも一部分を符号化することと、
前記ＬＴＲＰに関するＬＴＲＰピクチャオーダーカウント（ＰＯＣ）値を決定することと、
基準ピクチャオーダーカウント（ＰＯＣ）値の最上位ビット（ＭＳＢ）と前記ＬＴＲＰ
ＰＯＣ値のＭＳＢとの間の差分を表す値を符号化することと、を備え、前記基準ＰＯＣ値は、現在のピクチャのＰＯＣ値又は復号順序で前記現在のピクチャに先行するランダムアクセスポイント（ＲＡＰ）ピクチャのＰＯＣ値に対応する、方法。
【請求項１４】
前記ＬＴＲＰ  ＰＯＣ値の前記ＭＳＢが、前記ＲＡＰピクチャに関する前記ＰＯＣ値又は前記現在のピクチャに関する前記ＰＯＣ値のいずれから予測されるかを示す構文要素を符号化することをさらに備える請求項１３に記載の方法。
【請求項１５】
前記構文要素を符号化することは、前記現在のピクチャのスライスに関するスライスヘッダを符号化することを備え、前記スライスヘッダは、前記構文要素を含む請求項１４に記載の方法。
【請求項１６】
後続するピクチャに関する長期基準ピクチャが存在しないことを決定することと、
前記決定に基づいて、前記後続するピクチャに関する前記構文要素のコーディングをスキップすることと、をさらに備える請求項１４に記載の方法。
【請求項１７】
前記値を符号化することは、前記現在のピクチャのスライスのスライスヘッダ、前記現在のピクチャを含むピクチャのシーケンスに関するシーケンスパラメータセット（ＳＰＳ）、及び前記現在のピクチャに関するピクチャパラメータセット（ＰＰＳ）のうちの少なくとも１つを符号化することを備える請求項１３に記載の方法。
【請求項１８】
前記ＲＡＰピクチャは、復号順序で前記現在のピクチャに先行する、復号順序で最後のＲＡＰピクチャを備える請求項１３に記載の方法。
【請求項１９】
前記基準ＰＯＣ値は、前記現在のピクチャの前記ＰＯＣ値に対応する請求項１３に記載の方法。
【請求項２０】
映像データを復号するためのデバイスであって、
映像データを格納するように構成されたメモリと、
映像復号器とを備え、前記映像復号器は、
基準ピクチャオーダーカウント（ＰＯＣ）値の最上位ビット（ＭＳＢ）と長期基準ピクチャ（ＬＴＲＰ）ＰＯＣ値のＭＳＢとの間の差分を表す値を復号し、前記基準ＰＯＣ値は、現在のピクチャのＰＯＣ値又は復号順序で前記現在のピクチャに先行するランダムアクセスポイント（ＲＡＰ）ピクチャのＰＯＣ値に対応する、
前記復号された値及び前記基準ＰＯＣ値に基づいて前記ＬＴＲＰ  ＰＯＣ値の前記ＭＳＢを決定し、及び
前記ＬＴＲＰ  ＰＯＣ値に少なくとも部分的に基づいて前記ＬＴＲＰに関する前記現在のピクチャの少なくとも一部分を復号する
ように構成される、デバイス。
【請求項２１】
前記映像復号器は、前記ＬＴＲＰ  ＰＯＣ値の前記ＭＳＢが、前記ＲＡＰピクチャに関する前記ＰＯＣ値又は前記現在のピクチャに関する前記ＰＯＣ値のいずれから予測されるかを示す構文要素を復号し、及び
前記復号された値及び前記構文要素に基づいて前記ＬＴＲＰに関する前記ＰＯＣ値の前記ＭＳＢを再生する
ようにさらに構成される請求項２０に記載のデバイス。
【請求項２２】
前記ＬＴＲＰに関する前記ＰＯＣ値の前記ＭＳＢを再生するために、前記映像復号器は、前記ＬＴＲＰに関する前記ＰＯＣ値が前記現在のピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記現在のピクチャの前記ＰＯＣ値に加え、及び前記ＬＴＲＰに関する前記ＰＯＣ値が前記ＲＡＰピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記ＲＡＰピクチャの前記ＰＯＣ値に加えるように構成される請求項２１に記載のデバイス。
【請求項２３】
前記構文要素は、ｄｅｌｔａ_ｐｏｃ_ｌｔ_ｃｕｒｒ_ｐｉｃ_ｆｌａｇ［ｉ］を備え、ｉは、前記ＬＴＲＰに対応するインデックスを表す請求項２１に記載のデバイス。
【請求項２４】
前記映像復号器は、前記現在のピクチャのスライスに関するスライスヘッダを復号するように構成され、前記スライスヘッダは、前記構文要素を含む請求項２１に記載のデバイス。
【請求項２５】
前記映像復号器は、ｄｅｌｔａ_ｐｏｃ_ｍｓｂ_ｐｒｅｓｅｎｔ_ｆｌａｇ［ｉ］を復号せずに前記スライスヘッダを復号するように構成される請求項２４に記載のデバイス。
【請求項２６】
前記スライスヘッダは、ｄｅｌｔａ_ｐｏｃ_ｍｓｂ_ｐｒｅｓｅｎｔ_ｆｌａｇ［ｉ］を含まない請求項２４に記載のデバイス。
【請求項２７】
前記映像復号器は、前記構文要素が後続するピクチャに関して存在しないときには、前記後続するピクチャに関する長期基準ピクチャが存在しないと決定するようにさらに構成される請求項２１に記載のデバイス。
【請求項２８】
前記値を復号するために、前記映像復号器は、前記現在のピクチャのスライスのスライスヘッダ、前記現在のピクチャを含むピクチャのシーケンスに関するシーケンスパラメータセット（ＳＰＳ）、及び前記現在のピクチャに関するピクチャパラメータセット（ＰＰＳ）のうちの少なくとも１つを復号するように構成される請求項２０に記載のデバイス。
【請求項２９】
前記ＲＡＰピクチャは、復号順序で前記現在のピクチャに先行する、復号順序で最後のＲＡＰピクチャを備える請求項２０に記載のデバイス。
【請求項３０】
前記基準ＰＯＣ値は、前記現在のピクチャの前記ＰＯＣ値に対応する請求項２０に記載のデバイス。
【請求項３１】
前記映像復号器は、前記ＬＴＲＰ  ＰＯＣ値の最下位ビット（ＬＳＢ）を復号し、前記ＬＴＲＰ  ＰＯＣ値を再生するために前記ＬＴＲＰ  ＰＯＣ値の前記ＭＳＢを前記ＬＴＲＰ  ＰＯＣ値のＬＳＢと連結し、及び前記再生されたＬＴＲＰ  ＰＯＣ値に基づいて前記ＬＴＲＰを基準ピクチャセットに加えるようにさらに構成される請求項２０に記載のデバイス。
【請求項３２】
映像データを復号するためのデバイスであって、
基準ピクチャオーダーカウント（ＰＯＣ）値の最上位ビット（ＭＳＢ）と長期基準ピクチャ（ＬＴＲＰ）ＰＯＣ値のＭＳＢとの間の差分を表す値を復号するための手段であって、前記基準ＰＯＣ値は、現在のピクチャのＰＯＣ値又は復号順序で前記現在のピクチャに先行するランダムアクセスポイント（ＲＡＰ）ピクチャのＰＯＣ値に対応する手段と、
前記復号された値及び前記基準ＰＯＣ値に基づいて前記ＬＴＲＰ  ＰＯＣ値の前記ＭＳＢを決定するための手段と、
前記ＬＴＲＰ  ＰＯＣ値に少なくとも部分的に基づいて前記ＬＴＲＰに関する前記現在のピクチャの少なくとも一部分を復号するための手段と、を備える、デバイス。
【請求項３３】
前記ＬＴＲＰ  ＰＯＣ値の前記ＭＳＢが、前記ＲＡＰピクチャに関する前記ＰＯＣ値又は前記現在のピクチャに関する前記ＰＯＣ値のいずれから予測されるかを示す構文要素を復号するための手段と、
前記復号された値及び前記構文要素に基づいて前記ＬＴＲＰに関する前記ＰＯＣ値の前記ＭＳＢを再生するための手段と、をさらに備える請求項３２に記載のデバイス。
【請求項３４】
前記ＬＴＲＰに関する前記ＰＯＣ値の前記ＭＳＢを再生するための前記手段は、
前記ＬＴＲＰに関する前記ＰＯＣ値が前記現在のピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記現在のピクチャの前記ＰＯＣ値に加えるための手段と、
前記ＬＴＲＰに関する前記ＰＯＣ値が前記ＲＡＰピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記ＲＡＰピクチャの前記ＰＯＣ値に加えるための手段と、
を備える請求項３３に記載のデバイス。
【請求項３５】
前記構文要素が後続するピクチャに関して存在しないときには、前記後続するピクチャに関する長期基準ピクチャが存在しないと決定するための手段をさらに備える請求項３３に記載のデバイス。
【請求項３６】
前記値を復号するための前記手段は、前記現在のピクチャのスライスのスライスヘッダ、前記現在のピクチャを含むピクチャのシーケンスに関するシーケンスパラメータセット（ＳＰＳ）、及び前記現在のピクチャに関するピクチャパラメータセット（ＰＰＳ）のうちの少なくとも１つを復号するための手段を備える請求項３２に記載のデバイス。
【請求項３７】
前記ＲＡＰピクチャは、復号順序で前記現在のピクチャに先行する、復号順序で最後のＲＡＰピクチャを備える請求項３２に記載のデバイス。
【請求項３８】
前記基準ＰＯＣ値は、前記現在のピクチャの前記ＰＯＣ値に対応する請求項３２に記載のデバイス。
【請求項３９】
非一時的なコンピュータによって読み取り可能な記憶媒体であって、実行されたときに、
基準ピクチャオーダーカウント（ＰＯＣ）値の最上位ビット（ＭＳＢ）と長期基準ピクチャ（ＬＴＲＰ）ＰＯＣ値のＭＳＢとの間の差分を表す値を復号し、前記基準ＰＯＣ値は、現在のピクチャのＰＯＣ値又は復号順序で前記現在のピクチャに先行するランダムアクセスポイント（ＲＡＰ）ピクチャのＰＯＣ値に対応する、
前記復号された値及び前記基準ＰＯＣ値に基づいて前記ＬＴＲＰ  ＰＯＣ値の前記ＭＳＢを決定し、及び
前記ＬＴＲＰ  ＰＯＣ値に少なくとも部分的に基づいて前記ＬＴＲＰに関する前記現在のピクチャの少なくとも一部分を復号する
ことをプロセッサに行わせる命令を格納する、非一時的なコンピュータによって読み取り可能な記憶媒体。
【請求項４０】
前記ＬＴＲＰ  ＰＯＣ値の前記ＭＳＢが、前記ＲＡＰピクチャに関する前記ＰＯＣ値又は前記現在のピクチャに関する前記ＰＯＣ値のいずれから予測されるかを示す構文要素を復号し、及び
前記復号された値及び前記構文要素に基づいて前記ＬＴＲＰに関する前記ＰＯＣ値の前記ＭＳＢを再生する
ことを前記プロセッサに行わせる命令をさらに備える請求項３９に記載の非一時的なコンピュータによって読み取り可能な記憶媒体。
【請求項４１】
前記ＬＴＲＰに関する前記ＰＯＣ値の前記ＭＳＢを再生することを前記プロセッサに行わせる前記命令は、
前記ＬＴＲＰに関する前記ＰＯＣ値が前記現在のピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記現在のピクチャの前記ＰＯＣ値に加え、及び
前記ＬＴＲＰに関する前記ＰＯＣ値が前記ＲＡＰピクチャの前記ＰＯＣ値から予測されることを前記構文要素が示すときには、前記ＬＴＲＰに関する前記ＰＯＣ値の前記ＭＳＢを再生するために前記ＭＳＢ  ＰＯＣ差分値を前記ＲＡＰピクチャの前記ＰＯＣ値に加える
ことを前記プロセッサに行わせる命令を備える請求項４０に記載の非一時的なコンピュータによって読み取り可能な記憶媒体。
【請求項４２】
前記構文要素が後続するピクチャに関して存在しないときには、前記後続するピクチャに関する長期基準ピクチャが存在しないと決定することを前記プロセッサに行わせる命令さらに備える請求項３９に記載の非一時的なコンピュータによって読み取り可能な記憶媒体。
【請求項４３】
前記値を復号することを前記プロセッサに行わせる前記命令は、前記現在のピクチャのスライスのスライスヘッダ、前記現在のピクチャを含むピクチャのシーケンスに関するシーケンスパラメータセット（ＳＰＳ）、及び前記現在のピクチャに関するピクチャパラメータセット（ＰＰＳ）のうちの少なくとも１つを復号することを前記プロセッサに行わせる命令を備える請求項３９に記載の非一時的なコンピュータによって読み取り可能な記憶媒体。
【請求項４４】
前記ＲＡＰピクチャは、復号順序で前記現在のピクチャに先行する、復号順序で最後のＲＡＰピクチャを備える請求項３９に記載の非一時的なコンピュータによって読み取り可能な記憶媒体。
【請求項４５】
前記基準ＰＯＣ値は、前記現在のピクチャの前記ＰＯＣ値に対応する請求項３９に記載の非一時的なコンピュータによって読み取り可能な記憶媒体。